(57)【要約】【課題】大きな土嚢袋であっても小型クレーンで設置できるとともに、短時間で土砂が充填でき、この土砂が充填された土嚢を目標とする位置に精度良く着底できる築堤の構築装置および築堤の構築方法を提供することである。【解決手段】築堤の構築装置１は、矩形状の袋体保持枠２の上部に縦材３を介して吊り枠４が設置され、前記袋体保持枠２の下部には、上面に注入管１５と排水管１６とを備えた充填材注入用袋５が設置され、該充填材注入用袋５の周辺端部には袋体保持枠２からの引張材１２が接続され、該引張材１２により充填材注入用袋が引っ張られて広げられたことである。【選択図】  図１
2008144566.tif 000002
【特許請求の範囲】
【請求項１】
矩形状の袋体保持枠の上部に縦材を介して吊り枠が設置され、前記袋体保持枠の下部には、上面に注入管と排水管とを備えた充填材注入用袋が設置され、該充填材注入用袋の周辺端部には袋体保持枠からの引張材が接続され、該引張材により充填材注入用袋が引っ張られて広げられたことを特徴とする築堤の構築装置。
【請求項２】
矩形状の袋体保持枠の下部に、上面に注入管と排水管とを備えた充填材注入用袋が設置され、該充填材注入用袋の周辺端部には袋体保持枠からの引張材が接続され、該引張材により充填材注入用袋が引っ張られて広げられたことを特徴とする築堤の構築装置。
【請求項３】
充填材注入用袋を透水性とし、上面に注入管のみを設置したことを特徴とする請求項１または２に記載の築堤の構築装置。
【請求項４】
充填材注入用袋の内部は仕切板で複数の仕切部に仕切られたことを特徴とする請求項１〜３のいずれかに記載の築堤の構築装置。
【請求項５】
充填材注入用袋の上面内側には耐摩耗性シートが貼り付けられたことを特徴とする請求項１〜４のいずれかに記載の築堤の構築装置。
【請求項６】
袋体保持枠には変位センサ、水中測位装置、音響測深機および水中カメラが設置されたことを特徴とする請求項１〜５のいずれかに記載の築堤の構築装置。
【請求項７】
請求項１〜６のいずれかひとつの築堤の構築装置を吊り下げて充填材注入用袋を水底に着座させる工程と、該充填材注入用袋を膨張させて充填材を注入する工程と、該充填材の入った充填材注入用袋を袋体保持枠から分離する工程とを順次繰り返して、充填材の入った充填材注入用袋を水底に積み重ねることを特徴とする築堤の構築方法。
【請求項８】
請求項１〜６のいずれかひとつの築堤の構築装置を吊り下げて充填材注入用袋を膨張させて水底に着座させる工程と、該膨張させた充填材注入用袋に充填材を注入する工程と、該充填材の入った充填材注入用袋を袋体保持枠から分離する工程とを順次繰り返して、充填材の入った充填材注入用袋を水底に積み重ねることを特徴とする築堤の構築方法。
【請求項９】
請求項１〜６のいずれかひとつの築堤の構築装置を吊り下げて充填材注入用袋を水底に着座させる工程と、該水底に着座させた充填材注入用袋に充填材を注入する工程と、該充填材の入った充填材注入用袋を袋体保持枠から分離する工程とを順次繰り返して、充填材の入った充填材注入用袋を水底に積み重ねることを特徴とする築堤の構築方法。
【請求項１０】
充填材注入用袋を突起の多い水底に着座させる前に、水底に覆砂して突起を覆うことを特徴とする請求項７〜９のいずれかに記載の築堤の構築方法。
【請求項１１】
充填材注入用袋は複数であることを特徴とする請求項７〜１０のいずれかに記載の築堤の構築方法。
【発明の詳細な説明】
【技術分野】
【０００１】
本願発明は築堤の構築装置および築堤の構築方法に関するものである。
【背景技術】
【０００２】
水底に築堤を構築するには、図１８に示すように、気中において袋４０に土砂４１を詰めた大型の土嚢４２を水面から投下して水底４３に沈設させる方法がある。この方法は土砂４１の袋詰めを台船４４上で行った後、これを昇降装置４５によって水底４３に沈設している。また、その他の方法としては、例えば、特開平８−１８９０１９号公報の発明がある。
【特許文献１】特開平８−１８９０１９号公報
【発明の開示】
【発明が解決しようとする課題】
【０００３】
しかし、上記のような築堤の構築方法は、土砂を土嚢袋に充填する際に次のような問題があった。（１）大型であるため充填に時間がかかる。（２）充填に時間がかかるため摩耗による破損が内側から起こる。（３）気中で充填するため袋の強度を水中重量よりも大きくする必要がある。（４）ポンプ圧送で充填するため軽量な袋が挙動してしまう。
また土砂が充填された土嚢袋を水底に沈設する際には次のような問題があった。（１）昇降装置が大型になるためクレーンや吊り枠などの設備が大掛かりになる。（２）土嚢袋を投下する際にステージとの摩擦で破損する。（３）土嚢袋が水底に着底したときの衝撃によって破損する。（４）水底の突起物などによって土嚢袋に穴が開く。（５）水深が深い水底への沈設は位置決め精度が悪い。
【０００４】
本願発明は上記のような問題に鑑みてなされたものであり、その目的は大きな土嚢袋であっても小型クレーンで設置できるとともに、短時間で土砂が充填でき、この土砂が充填された土嚢を目標とする位置に精度良く着底できる築堤の構築装置および築堤の構築方法を提供することである。
【課題を解決するための手段】
【０００５】
以上の課題を解決するための築堤の構築装置は、矩形状の袋体保持枠の上部に縦材を介して吊り枠が設置され、前記袋体保持枠の下部には、上面に排水管を備えた充填材注入用袋が設置され、該充填材注入用袋の周辺端部には袋体保持枠からの引張材が接続され、該引張材により充填材注入用袋が引っ張られて広げられたことを特徴とする。また充填材注入用袋を透水性とし、上面に注入管のみを設置したことを含む。また充填材注入用袋の内部は仕切板で複数の仕切部に仕切られたことを含む。また充填材注入用袋の上面内側には耐摩耗性シートが貼り付けられたことを含む。また袋体保持枠には変位センサ、水中測位装置、音響測深機および水中カメラが設置されたことを含む。
また築堤の構築装置は、矩形状の袋体保持枠の下部に、上面に注入管を備えた充填材注入用袋が設置され、該充填材注入用袋の周辺端部には袋体保持枠からの引張材が接続され、該引張材により充填材注入用袋が引っ張られて広げられたことを特徴とする。また充填材注入用袋を透水性とし、上面に注入管のみを設置したことを含む。また充填材注入用袋の内部は仕切板で複数の仕切部に仕切られたことを含む。また充填材注入用袋の上面内側には耐摩耗性シートが貼り付けられたことを含む。また袋体保持枠には変位センサ、水中測位装置、音響測深機および水中カメラが設置されたことを含む。
また築堤の構築方法は、上記のいずれかひとつの築堤の構築装置を吊り下げて充填材注入用袋を水底に着座させる工程と、該充填材注入用袋を膨張させて充填材を注入する工程と、該充填材の入った充填材注入用袋を袋体保持枠から分離する工程とを順次繰り返して、充填材の入った充填材注入用袋を水底に積み重ねることを特徴とする。また充填材注入用袋を突起の多い水底に着座させる前に、水底に覆砂して突起を覆うことを含む。また充填材注入用袋は複数であることを含むものである。
また築堤の構築方法は、上記のいずれかひとつの築堤の構築装置を吊り下げて充填材注入用袋を膨張させて水底に着座させる工程と、該膨張させた充填材注入用袋に充填材を注入する工程と、該充填材の入った充填材注入用袋を袋体保持枠から分離する工程とを順次繰り返して、充填材の入った充填材注入用袋を水底に積み重ねることを特徴とする。また充填材注入用袋を突起の多い水底に着座させる前に、水底に覆砂して突起を覆うことを含む。また充填材注入用袋は複数であることを含むものである。
また築堤の構築方法は、いずれかひとつの築堤の構築装置を吊り下げて充填材注入用袋を水底に着座させる工程と、該水底に着座させた充填材注入用袋に充填材を注入する工程と、該充填材の入った充填材注入用袋を袋体保持枠から分離する工程とを順次繰り返して、充填材の入った充填材注入用袋を水底に積み重ねることを特徴とする。また充填材注入用袋を突起の多い水底に着座させる前に、水底に覆砂して突起を覆うことを含む。また充填材注入用袋は複数であることを含むものである。
【発明の効果】
【０００６】
軽量な充填材注入用袋と袋体保持枠のみを吊るため小型のクレーンでの作業ができる。また充填材注入用袋を設置する袋体保持枠についても軽微なものにすることができる。また土嚢袋を水面から投下して築堤を構築する工法に比べて、充填材注入用袋が着底したときの衝撃が少ないため、袋の過大な強度を必要としない。また充填材注入用袋を透水性とし、上面に注入管のみを設置したことにより、土砂以外の充填材である細粒分の少ない砂や濃度の低いスラリー、または固化処理土を未膨張（膨張していない状態）の状態から充填することができる。また充填材注入用袋の内部が仕切板で複数の仕切部に仕切られたことにより、複数の箇所から充填材を充填することができるので速く充填することができる。また複数に仕切られた仕切部に手順を追って充填材を充填することにより袋の移動がないので安定した作業ができる。また許容張力以上の力が充填材注入用袋に掛からないように引張材の張力が調整できるので充填材注入用袋の破断が防げる。また充填材注入用袋を袋体保持枠に固定することにより波浪や充填の圧力による移動が防げる。また充填材注入用袋を広げて伸したことにより充填材が万遍なく充填できる。また水底での充填材注入用袋の形状確認が遠隔からできる。また充填材注入用袋への充填材の充填に時間がかかったとしても摩耗による内部からの破損が防げる。また水底の突起物による充填材注入用袋の破損が防げる。
【発明を実施するための最良の形態】
【０００７】
以下、本願発明の築堤の構築装置およびその構築方法の実施の形態を図面に基づいて詳細に説明する。また各実施の形態において同じ構成は同じ符号を付して説明し、異なった構成にのみ異なった符号を付して説明する。
【０００８】
図１および図２は第１の実施の形態の築堤の構築装置１である。この築堤の構築装置１は袋体保持枠２と、この上部に縦材３を介して設置された吊り枠４と、前記の袋体保持枠２に設置された充填材注入用袋５とから構成されている。この充填材注入用袋５は横幅が略１０ｍ、長さが略２０〜３０ｍで、通常の土嚢袋よりもはるかに大きく、膨張すると楕円柱状になる。
【０００９】
また袋体保持枠２は平面長方形の下枠６と上枠７とが柱材（四隅と長辺方向中央部とに配置）８で接合されて形成され、各柱材８間にブレース９が架設されている。また上枠７の上面には鋼板１０が敷設され、この上に油圧ユニット設置用の水密箱１０ａが設置されている。
【００１０】
また下枠６の柱材８が設置された箇所にはワイヤーなどの引張材１２が設置され、この先端部における把持具１３によって充填材注入用袋５の四隅と長辺方向中央部とが把持されている。そして引張材１２にはトルクウインチ１１で張力が付与されているため、充填材注入用袋５が平面長方形に広げられて下枠６に固定されている。しかし、この引張材１２の緊張は、充填材注入用袋５に充填材である土砂が充填されて膨張すると、台船上に置かれた遠隔装置によって自動的に緩められる。また充填材注入用袋５の端部を把持具１３で把持するのは台船上で作業員によって行われるが、この取り外しは上記と同じ遠隔装置によって水中で自動的に行われる。
【００１１】
この充填材である土砂の充填材注入用袋５への充填は、水で充填材注入用袋５を膨張させてから、この水を排水するとともに、この排水した水の泥水密度（水に含まれる土砂の割合）によって充填の程度を確認する。そして、上枠７に設置された変位センサ１４で充填材注入用袋５との相対距離を計測して土砂の充填による形状の変化を確認する。
【００１２】
また充填材注入用袋５の上面には土砂を注入する注入管１５と、水を排出する排水管１６とがそれぞれ設けられ、この注入管１５には注入ホース１７が、排水管１６には排水ホース１８がそれぞれ台船上で接続され、取り外しは上記の遠隔装置によって水中で自動的に行われる。
【００１３】
一方、上枠７には複数の縦材３によって平面長方形の吊り枠４が接合され、これによって充填材注入用袋５を設置した袋体保持枠２がクレーンで水底に吊り下げられるようになっている。また吊り枠４には充填材注入用袋５の設置位置への誘導を行う水中測位装置１９と傾斜計２０とが設置されるとともに、これらによって決定された水底の形状を確認するための音響測深機２１および水中カメラ２２も設置されている。
【００１４】
また図３は第２の実施の形態の築堤の構築装置２３を示したものである。この築堤の構築装置２３は充填材注入用袋５の内部に仕切板２４で３つの仕切部２５が形成されたものであり、これ以外は上記の第１の実施の形態の築堤の構築装置１と同じ構成である。この充填材注入用袋５の仕切部２５ごとに土砂が充填できるので時間がかからない。また仕切部２５ごとに手順を追って充填すると充填材注入用袋５を移動させずに作業ができるという利点がある。また各仕切部２５には注入管１５と排水管１６とがそれぞれ設置されている。なお、この仕切部２５の数はこれ以上またはこれ以下であってもよい。
【００１５】
また図４は第３の実施の形態の築堤の構築装置２６を示したものである。この築堤の構築装置２６は充填材注入用袋５の上面内側にゴムやアルミなどの耐摩耗性シート２７を貼り付けたものであり、これ以外は上記の第１の実施の形態の築堤の構築装置１と同じ構成である。この耐摩耗性シート２７は、土砂による摩耗を最も受けやすい注入管と排水管とを中心にした上面内側を覆って保護している。
【００１６】
また図５は第４の実施の形態の築堤の構築装置２８を示したものである。この築堤の構築装置２８は上枠７から縦材３と吊り枠４とを撤去したものであり、これ以外は第１の実施の形態の築堤の構築装置１と同じ構成である。したがって、この吊り枠４に代わるものとして、クレーンのフックを引っ掛ける掛止具２９が鋼板１０に四つ設置され、該鋼板１０には充填材注入用袋５の設置位置への誘導を行う水中測位装置１９、傾斜計２０、音響測深機２１および水中カメラ２２がそれぞれ設置されている。
【００１７】
また図６は第５の実施の形態の築堤の構築装置３０を示したものである。この築堤の構築装置３０は充填材注入用袋５が透水性で、上面に注入管１５のみが設置されたものであり、これ以外は第１の実施の形態の築堤の構築装置１と同じ構成である。この充填材注入用袋５には、上記の充填材である土砂に代わって、細粒分の少ない砂や濃度の低いスラリー、または固化処理土などの充填材を未膨張（膨張していない状態）の状態から充填することができ、これらを注入管１５から注入することによって充填材注入用袋５が膨張し、この膨張にしたがって充填材注入用袋５内の水が外部に排出される。これは充填材注入用袋５が透水性であるため、固化処理土などの充填にともなって内部の水が充填材注入用袋５の全面から押し出されるためである。
【００１８】
このように透水性で、上面に注入管１５のみを設置した充填材注入用袋５は、第２、第３、第４の実施の形態の築堤の構築装置２３、２６、２８、３０にも適用することができ、特に第２の実施の形態の築堤の構築装置２３においては、各仕切部２５ごとに注入管１５のみが設置されている。
【００１９】
次に、第１の実施の形態の築堤の構築方法について説明する。この方法は、第１の実施の形態の築堤の構築装置１を使用したものであり、空のまま水底に沈設した充填材注入用袋２内に充填材としての土砂３１を充填して築堤３３を構築するものである。
【００２０】
まず作業者が充填材注入用袋５を台船３４上において袋体保持枠２の下枠６に引張材１２で固定する。これは引張材１２の先端部における把持具１３で充填材注入用袋５の四隅と長辺側中央部とを把持して行う。このとき充填材注入用袋５は平面長方形に広げられた状態であるが、端部を引張材１２で引っ張って弛みのない状態にする。この引張材１２の張力の調整は台船上の遠隔装置によってトルクウインチ１１を作動させて行う。そして充填材注入用袋５の上面における注入管１５に注入ホース１７を接続するとともに、排水管１６に排水ホース１７を接続する。
【００２１】
次に、図７に示すように、この充填材注入用袋が固定された築堤の構築装置１を、台船３４上のクレーン３６で吊り上げる。そして、図８に示すように、これを水中に沈めるとともに、ＧＰＳ３７、水中測位装置１９および傾斜計２０によって充填材注入用袋５が着底される位置に誘導する。
【００２２】
次に、図９に示すように、充填材注入用袋５が着底される水底の形状を音響測深機２１や水中カメラ２２を用いて確認する。そして、この水底形状が良好な場合、すなわち充填材注入用袋５に穴を空けるような突起がない場合は、そのまま築堤の構築装置１を沈設して充填材注入用袋５を着底させる。しかし、水底形状が不良な場合、すなわち充填材注入用袋５に穴を空けるような突起がある場合には、この突起を砂で覆った後、築堤の構築装置１を沈設して充填材注入用袋５を着底させる。
【００２３】
次に、図１０に示すように、着底させた充填材注入用袋５内に注入管１５から水３８を充填して楕円柱状に膨張させるとともに、この膨張した充填材注入用袋５と上枠７との相対距離を変位センサ１４で計測して形状の変化を確認する。そして、この形状の変化によって充填材注入用袋５に水３８が十分注入されたことを確認した後に、この注入を止めると横幅が略１０ｍで、長さが略２０〜３０ｍの楕円柱が形成される。
【００２４】
次に、この水３８を排水管１６によって充填材注入用袋５から抜きつつ、注入管１５で土砂３１の充填を行うとともに、この排水管１６で抜いた水３８の泥水密度（水に含まれる注入土砂の割合）によって土砂３１の充填状態を確認する。そして、この泥水密度によって充填材注入用袋５に十分な土砂３１が充填されたと判断したときに、注入管１５からの土砂３１の充填を止めると、前記と同じように横幅が略１０ｍで、長さが略２０〜３０ｍの楕円柱の土嚢３２が形成される。
【００２５】
次に、図１１に示すように、この楕円柱の充填材注入用袋５の端部に把持されている把持具１３をコントローラからの信号によって取り外すと、充填材注入用袋５が袋体保持枠２の下枠６から離れた状態になる。そして、この充填材注入用袋５が分離された築堤の構築装置１を水中から吊り上げて台船３４上に戻す。
【００２６】
次に、図１２および図１３に示すように、上記と同じ工程を繰り返すことによって、水底３９に土嚢３２が積み重ねられた築堤３３が構築される。これは従来のように（図１８参照）台船４４上において土砂４１を袋４０に詰めて大型の土嚢４２を形成し、これを水底４３に沈設して積み重ねる方法とは異なって、最初に充填材注入用袋５を水底３９に沈設して、そこに土砂３１を充填した巨大な土嚢３２を形成する。そしてこの作業を順次繰り返して土嚢３２を水底３９に積み重ねることによって築堤３３を構築する。
【００２７】
なお、第２または第３の実施の形態の築堤の構築装置２３、２６を使用する場合も、上記と同じ方法を適用することができる。
【００２８】
次に、第２の実施の形態の築堤の構築方法について説明する。この方法は、図１４に示すように、第４の実施の形態の築堤の構築装置２８を使用したものであり、水底３９に空のまま沈設した充填材注入用袋５内に土砂３１を充填して築堤３３を構築することは第１の実施の形態の築堤の構築方法と同じである。
【００２９】
まず作業者が充填材注入用袋５を台船３４上において袋体保持枠２に引張材１２で固定する。そして、この固定した充填材注入用袋５を、上記と同じ方法で広げ、充填材注入用袋５の上面における注入管１５に注入ホース１７を接続するとともに、排水管１６に排水ホース１８を接続する。
【００３０】
次に、この充填材注入用袋が固定された築堤の構築装置１を、上記と同じ方法で吊り上げ、水中に沈めて水底３９に着底させる。次に、上記と同じ方法で、この充填材注入用袋５内に水３８を充填して横幅が略１０ｍで、長さが略２０〜３０ｍの楕円柱を形成する。
【００３１】
次に、上記と同じ方法によって、この充填材注入用袋５内に土砂３１を充填するとともに水３８を抜くと、土砂３１が充填された横幅が略１０ｍで、長さが略２０〜３０ｍの楕円柱の土嚢３２が形成される。次に、上記と同じ方法で、この土嚢３２から把持具１３を取り外した後、この土嚢３２が離れた築堤の構築装置１を水中から吊り上げて台船３４上に戻す。そして、上記と同じ工程を繰り返すことによって、水底３９に土嚢３２が積み重ねられた築堤３３が構築される。
【００３２】
次に、第３の実施の形態の築堤の構築方法について説明する。この方法は、第５の実施の形態の築堤の構築装置３０を使用し、水底３９に沈設した充填材注入用袋２内に、土砂３１以外の充填材３５を充填して築堤３３を構築するものである。
【００３３】
まず、上記と同じ方法で、作業者が充填材注入用袋５を袋体保持枠２の下枠６に固定して平面長方形に広げるとともに、充填材注入用袋５の上面における注入管１５に注入ホース１７を接続する。次に、図１５に示すように、上記と同じ方法で、この充填材注入用袋５が固定された築堤の構築装置１を吊り上げて、水中に沈めて水底３９に着底させる。
【００３４】
次に、上記と同じ方法で、この着底させた充填材注入用袋５内に水３８を充填して、横幅が略１０ｍで、長さが略２０〜３０ｍの楕円柱を形成する。次に、この膨張した充填材注入用袋５内に細粒分の少ない砂や濃度の低いスラリー、または固化処理土などの充填材３５を充填して、充填材注入用袋５内の水を外部に排出する。これは充填材注入用袋５が透水性であるため、充填材注入用袋５内の水が固化処理土などの充填にともなって充填材注入用袋全面から押し出されるものである。よって横幅が略１０ｍで、長さが略２０〜３０ｍの楕円柱の土嚢３２が形成される。
【００３５】
次に、上記と同じ方法によって、この土嚢３２５から把持具１３を取り外して下枠６から離した状態にする。そして、この土嚢３２が分離された築堤の構築装置１を水中から吊り上げて台船３４上に戻す。そして、上記と同じ工程を繰り返すことによって、水底３９に土嚢３２が積み重ねられた築堤３３が構築される。
【００３６】
次に、第４の実施の形態の築堤の構築方法について説明する。この方法は、第１の実施の形態の築堤の構築装置１を使用したものであり、充填材注入用袋５を水底３９に着底させる前に水中などで膨張させ、これに土砂３１を充填して築堤３３を構築するものである。
【００３７】
まず、上記と同じ方法で、作業者が充填材注入用袋５を袋体保持枠２の下枠６に固定し、平面長方形に広げるとともに、充填材注入用袋５の上面における注入管１５に注入ホース１７を接続するとともに、排水管１６に排水ホース１８を接続する。
【００３８】
次に、図１６に示すように、上記と同じ方法で、袋体保持枠２を吊り上げて水中に沈める。そして、この状態で充填材注入用袋５内に水３８を充填して膨張させて、この充填材注入用袋５と上枠７との相対距離を変位センサ１４で計測して形状の変化を確認する。そして、この形状の変化によって充填材注入用袋５に水３８が十分注入されたことを確認した後、この注入を止めると、横幅が略１０ｍで、長さが略２０〜３０ｍの楕円柱が形成される。
【００３９】
次に、上記と同じ方法で、この膨張した充填材注入用袋５を着底させ、これに土砂３１を充填して土嚢３２を形成する。そして、上記と同じ方法で、充填材注入用袋５から把持具１３を取り外し、該充填材注入用袋５が離れた築堤の構築装置１を水中から吊り上げて台船３４上に戻す。次に、上記と同じ工程を繰り返すことによって、水底３９に土嚢３２が積み重ねられた築堤３３が構築される。
【００４０】
なお、この第４の実施の形態の築堤の構築方法は、第２〜第５の実施の形態の築堤の構築装置２３、２６、２８、３０を使用する場合も適用することができ、上記と同じ方法で行うものとする。
【００４１】
次に、第５の実施の形態の築堤の構築方法について説明する。この方法は、第１〜第５の実施の形態の築堤の構築装置１、２３、２６、２８、３０を使用して、水底３９に未膨張のまま沈設した充填材注入用袋２内に、土砂３１または土砂以外の充填材３５を直接充填して築堤３３を構築するものである。この実施の形態においては第１の実施の形態の築堤の構築装置１を使用して説明する。
【００４２】
まず、上記と同じ方法で、作業者が充填材注入用袋５を袋体保持枠２の下枠６に固定して平面長方形に広げるとともに、充填材注入用袋５の上面における注入管１５に注入ホース１７を、排水管１６に排水ホース１８をそれぞれ接続する。次に、図１７の（１）に示すように、上記と同じ方法で、この充填材注入用袋５が固定された築堤の構築装置１を吊り上げて、水中に沈めて水底３９に着底させる。このとき充填材注入用袋５は未膨張、すなわち膨張していない状態である。
【００４３】
次に、同図の（２）に示すように、この未膨張の充填材注入用袋５に、土砂３１、または細粒分の少ない砂や濃度の低いスラリー、または固化処理土などの充填材３５を充填して充填材注入用袋５を膨張させると、横幅が略１０ｍで、長さが略２０〜３０ｍの楕円柱の土嚢３２が形成される。この充填材３５の充填によって充填材注入用袋５内の水３８が排水管１６から排水されるが、第５の実施の形態の透水性の充填材注入用袋５の場合は、透水性であるため、土砂３１または固化処理土などの充填材３５の充填にともなって充填材注入用袋５の全面から押し出される。
【００４４】
次に、上記と同じ方法によって、この充填材注入用袋５から把持具１３を取り外して下枠６から離れた状態にする。そして、この充填材注入用袋５が分離された築堤の構築装置１を水中から吊り上げて台船３４上に戻す。そして、上記と同じ工程を繰り返すことによって、水底３９に土嚢３２が積み重ねられた築堤３３が構築される。
【００４５】
なお、上記の第１〜第５の実施の形態の築堤の構築方法において袋体保持枠２に設置された充填材注入用袋５は一つであるが、これは一つに限らず複数であっても良い。
【図面の簡単な説明】
【００４６】
【図１】第１の実施の形態の築堤の構築装置の斜視図である。
【図２】（１）は袋体保持枠の下枠の斜視図、（２）は充填材注入用袋の断面図である。
【図３】第２の実施の形態の築堤の構築装置の袋体保持枠の下枠の斜視図である。
【図４】第３の実施の形態の築堤の構築装置の袋体保持枠の下枠の斜視図である。
【図５】第４の実施の形態の築堤の構築装置の斜視図である。
【図６】（１）は第５の実施の形態の築堤の構築装置の袋体保持枠の下枠の斜視図、（２）は充填材注入用袋の断面図である。
【図７】第１の実施の形態の築堤の構築方法であり、築堤の構築装置を吊り上げた斜視図である。
【図８】築堤の構築装置を水中に吊り下げた断面図である。
【図９】築堤の構築装置を水底に設置した断面図である。
【図１０】（１）は充填材注入用袋に土砂を充填する断面図、（２）は充填材注入用袋の断面図である。
【図１１】充填材注入用袋を分離した築堤の構築装置を水中から引き上げる断面図である。
【図１２】第１段目の上に充填材注入用袋を設置する断面図である。
【図１３】第１段目の上に２段目の土嚢を設置する断面図である。
【図１４】第２の実施の形態の築堤の構築方法の断面図である。
【図１５】第３の実施の形態の築堤の構築方法であり、（１）は断面図、（２）は土砂注入用袋の断面図である。
【図１６】第４の実施の形態の築堤の構築方法の断面図である。
【図１７】第５の実施の形態の築堤の構築方法であり、（１）は充填材注入用袋を着底させた断面図、（２）は充填材注入用袋に充填材を充填した断面図、充填材注入用袋の断面図である。
【図１８】従来の築堤の構築方法の断面図である。
【符号の説明】
【００４７】
１、２３、２６、２８、３０  築堤の構築装置
２  袋体保持枠
３  縦材
４  吊り枠
５  充填材流入用袋
６  下枠
７  上枠
８  柱材
９  ブレース
１０  鋼板
１０ａ  水密箱
１１  トルクウインチ
１２  引張材
１３  把持具
１４  変位センサ
１５  注入管
１６  排水管
１７  注入ホース
１８  排水ホース
１９  水中測位装置
２０  傾斜計
２１  音響測深機
２２  水中カメラ
２４  仕切板
２５  仕切部
２７  耐摩耗性シート
２９  掛止具
３１  充填材
３２、４２  土嚢
３３  築堤
３４、４４  台船
３５  充填材
３６  クレーン
３７  ＧＰＳ
３８  水
３９、４３  水底
４０  袋
４５  昇降装置
【図１】
2008144566.tif 000003
【図２】
2008144566.tif 000004
【図３】
2008144566.tif 000005
【図４】
2008144566.tif 000006
【図５】
2008144566.tif 000007
【図６】
2008144566.tif 000008
【図７】
2008144566.tif 000009
【図８】
2008144566.tif 000010
【図９】
2008144566.tif 000011
【図１０】
2008144566.tif 000012
【図１１】
2008144566.tif 000013
【図１２】
2008144566.tif 000014
【図１３】
2008144566.tif 000015
【図１４】
2008144566.tif 000016
【図１５】
2008144566.tif 000017
【図１６】
2008144566.tif 000018
【図１７】
2008144566.tif 000019
【図１８】
2008144566.tif 000020